【手続補正書】
【提出日】平成18年12月27日(2006.12.27)
【手続補正１】
【補正対象書類名】特許請求の範囲
【補正対象項目名】全文
【補正方法】変更
【補正の内容】
【特許請求の範囲】
【請求項１】
受信したトランスポートパケットに所定のデータを付加するデータ付加回路と、
前記所定のデータを付加された複数のトランスポートパケットをブロック暗号化方式により暗号化処理する暗号化回路と、
前記暗号化処理されたデータを記録する記録回路と
を備え、
前記データ付加回路は、
前記所定のデータを付加された複数のトランスポートパケットからなるデータのデータ長が、前記暗号化処理における処理単位の整数倍になるように、前記所定のデータを付加すること
を特徴とするデジタル信号記録装置。
【請求項２】
受信したトランスポートパケットに所定のデータを付加するデータ付加ステップと、
前記所定のデータを付加された複数のトランスポートパケットをブロック暗号化方式により暗号化処理する暗号化ステップと、
前記暗号化処理されたデータを記録する記録ステップと
を備え、
前記データ付加ステップでは、
前記所定のデータを付加された複数のトランスポートパケットからなるデータのデータ長が、前記暗号化処理における処理単位の整数倍になるように、前記所定のデータを付加すること
を特徴とするデジタル信号記録方法。
【請求項３】
記録されている暗号化データを読み出すデータ読み出し回路と、
前記暗号化データを復号処理する暗号データ復号回路と、
前記復号処理されたデータから所定のデータを除去するデータ除去回路と
を備え、
前記暗号化データは、
前記所定のデータが付加された複数のトランスポートパケットからなるデータのデータ長が、ブロック暗号化方式による暗号化処理の処理単位の整数倍となるように前記暗号化処理されたデータであること
を特徴とするデジタル信号再生装置。
【請求項４】
記録されている暗号化データを読み出すデータ読み出しステップと、
前記暗号化データを復号処理する暗号データ復号ステップと、
前記復号処理されたデータから所定のデータを除去するデータ除去ステップと
を備え、
前記暗号化データは、
前記所定のデータが付加された複数のトランスポートパケットからなるデータのデータ長が、ブロック暗号化方式による暗号化処理の処理単位の整数倍となるように前記暗号化処理されたデータであること
を特徴とするデジタル信号再生方法。
【手続補正２】
【補正対象書類名】明細書
【補正対象項目名】００１０
【補正方法】変更
【補正の内容】
【００１０】
請求項１に係るデジタル信号記録装置は、
受信したトランスポートパケットに所定のデータを付加するデータ付加回路と、
前記所定のデータを付加された複数のトランスポートパケットをブロック暗号化方式により暗号化処理する暗号化回路と、
前記暗号化処理されたデータを記録する記録回路と
を備え、
前記データ付加回路は、
前記所定のデータを付加された複数のトランスポートパケットからなるデータのデータ長が、前記暗号化処理における処理単位の整数倍になるように、前記所定のデータを付加すること
を特徴としている。
【手続補正３】
【補正対象書類名】明細書
【補正対象項目名】００１４
【補正方法】変更
【補正の内容】
【００１４】
参考例のデジタル信号記録装置は、
受信したトランスポートパケットのペイロード長がブロック暗号化の際のブロック長の整数倍に等しくなるようにダミーデータを付加するデータ付加手段と、
前記データ付加手段によりダミーデータが付加されたペイロードをブロック暗号方式により暗号化する暗号化手段と、
前記暗号化手段により暗号化されたペイロードを持つトランスポートパケットを記録媒体に記録する記録手段と
を有すること特徴としている。
【手続補正４】
【補正対象書類名】明細書
【補正対象項目名】００１６
【補正方法】変更
【補正の内容】
【００１６】
参考例の係るデジタル信号再生装置は、
ペイロード長がブロック暗号化の際のブロック長の整数倍に等しくなるようにダミーデータが付加され、その後ペイロードがブロック暗号方式により暗号化されたトランスポートパケットが記録されている記録媒体から、前記トランスポートパケットを読み出す読み出し手段と、
前記読み出し手段により読み出されたトランスポートパケットのペイロードを復号する復号手段と、
前記復号手段により復号されたペイロードに付加されているダミーデータを削除するデータ削除手段と
を有すること特徴としている。
【手続補正５】
【補正対象書類名】明細書
【補正対象項目名】００２０
【補正方法】変更
【補正の内容】
【００２０】
参考例のデジタル信号記録再生方法は、
受信したトランスポートパケットのペイロード長がブロック暗号化の際のブロック長の整数倍に等しくなるようにダミーデータを付加し、
前記ダミーデータが付加されたトランスポートパケットのペイロードをブロック暗号方式により暗号化し、
前記暗号化されたペイロードを持つトランスポートパケットを記録媒体に記録し、
前記記録媒体からトランスポートパケットを読み出し、
前記記録媒体から読み出されたトランスポートパケットのペイロードを復号し、
前記復号されたペイロードに付加されているダミーデータを削除する
こと特徴としている。
【手続補正６】
【補正対象書類名】明細書
【補正対象項目名】００２４
【補正方法】変更
【補正の内容】
【００２４】
参考例のデジタル信号記録方法は、
受信したトランスポートパケットのペイロード長がブロック暗号化の際のブロック長の整数倍に等しくなるようにダミーデータを付加し、
前記ダミーデータが付加されたトランスポートパケットのペイロードをブロック暗号方式により暗号化し、
前記暗号化されたペイロードを持つ前記トランスポートパケットを記録媒体に記録する  こと特徴としている。
【手続補正７】
【補正対象書類名】明細書
【補正対象項目名】００２６
【補正方法】変更
【補正の内容】
【００２６】
参考例のデジタル信号再生方法は、
ペイロード長がブロック暗号化の際のブロック長の整数倍に等しくなるようにダミーデータが付加され、その後ペイロードがブロック暗号方式により暗号化されたトランスポートパケットが記録されている記録媒体から、前記トランスポートパケットを読み出し、
前記読み出されたトランスポートパケットのペイロードを復号し、
前記復号されたペイロードに付加されているダミーデータを削除する
こと特徴としている。
【手続補正８】
【補正対象書類名】明細書
【補正対象項目名】００２７
【補正方法】変更
【補正の内容】
【００２７】
請求項１のデジタル信号記録装置によれば、ＴＳパケットのペイロードの先頭が必ず暗号ブロック先頭となるよう調整されているので、通常再生開始時や、特殊再生を含むランダムアクセス時でも確実に再生を行うことができる。
【手続補正９】
【補正対象書類名】明細書
【補正対象項目名】００２８
【補正方法】変更
【補正の内容】
【００２８】
また、参考例のデジタル信号記録装置によれば、ＴＳパケットのペイロードの先頭が必ず暗号ブロック先頭となるよう調整されているので、通常再生開始時や、特殊再生を含むランダムアクセス時でも確実に再生を行うことができる。
【手続補正１０】
【補正対象書類名】明細書
【補正対象項目名】００２９
【補正方法】変更
【補正の内容】
【００２９】
また、参考例のデジタル信号再生装置によれば、ＴＳパケットのペイロードの先頭が必ず暗号ブロック先頭となるよう調整されているので、通常再生開始時や、特殊再生を含むランダムアクセス時でも確実に再生を行うことができる。
【手続補正１１】
【補正対象書類名】明細書
【補正対象項目名】００３０
【補正方法】変更
【補正の内容】
【００３０】
また、参考例のデジタル信号記録再生方法によれば、ＴＳパケットのペイロードの先頭が必ず暗号ブロック先頭となるよう調整されているので、通常再生開始時や、特殊再生を含むランダムアクセス時でも確実に再生を行うことができる。
【手続補正１２】
【補正対象書類名】明細書
【補正対象項目名】００３１
【補正方法】変更
【補正の内容】
【００３１】
また、参考例のデジタル信号記録方法によれば、ＴＳパケットのペイロードの先頭が必ず暗号ブロック先頭となるよう調整されているので、通常再生開始時や、特殊再生を含むランダムアクセス時でも確実に再生を行うことができる。
【手続補正１３】
【補正対象書類名】明細書
【補正対象項目名】００３２
【補正方法】変更
【補正の内容】
【００３２】
また、参考例のデジタル信号再生方法によれば、ＴＳパケットのペイロードの先頭が必ず暗号ブロック先頭となるよう調整されているので、通常再生開始時や、特殊再生を含むランダムアクセス時でも確実に再生を行うことができる。